(57)【要約】【課題】  調理器本体をシステムキッチン等に組み込む場合に使用する取手の使い勝手を向上する事を目的とするものである。【解決手段】  調理器本体の天面に、被調理物を載せて加熱する天板を一体的に装着すると共に、天面の後端部に少なくともグリル排気孔を開口し、かつ調理器本体をシステムキッチン等の天面板に開口した開口部内に上方から挿入するものにおいて、グリル排気孔を調理器本体の幅方向の略中心部に間隙を置いて配置すると共に、この間隙部に取手を装着する様に構成して成る。【選択図】        図１
2005257152.tif 000002
【特許請求の範囲】
【請求項１】
調理器本体の天面に、被調理物を載せて加熱する天板を一体的に装着すると共に、上記天面の後端部に少なくともグリル排気孔を開口し、かつ調理器本体をシステムキッチン等の天面板に開口した開口部内に上方から挿入するものにおいて、上記グリル排気孔を調理器本体の幅方向の略中心部に間隙を置いて配置すると共に、この間隙部に取手を装着した事を特徴とする組込み式加熱調理器。
【請求項２】
上記取手を左右方向に配置した事を特徴とする、上記請求項１に記載の組込み式加熱調理器。
【請求項３】
上記取手を折畳み或いは上下方向に移動可能に構成すると共に、上記グリル排気孔を被覆するカバーにて取手を被覆する様に構成した事を特徴とする、上記請求項１〜２に記載の組込み式加熱調理器。
【発明の詳細な説明】
【技術分野】
【０００１】
本発明は、システムキッチン等の天面板に開口した開口部内に上方から組込んで使用する組込み式加熱調理器に関する。
【背景技術】
【０００２】
例えばシステムキッチンの天面板に開口した開口部内に上方から組込み収納して設置する組込み式の加熱調理器では、例えば特許文献１に示される様に、調理器本体を開口部内に収納時には、調理器本体の側面略中心位置に把手８を装着し、この把手を持って調理器本体を持ち上げて開口部内に嵌め込み、セットした後は、把手８をそのまま調理器本体内に収納した後、調理器本体の天面に天板を装着し、この天板にて把手部分を被覆していた。
【特許文献１】実公平７−２８４８４号公報
【発明の開示】
【発明が解決しようとする課題】
【０００３】
一方、例えば組込み式の電磁調理器や調理器本体の天面にガラス天板を一体的に装着した組込み式のガステーブル等では、組込み時に天板を調理器本体に固定している為、上記特許文献１の様に天板にて把手を隠すことができず、把手を着脱する構成が必要となる。
【０００４】
然しながら、把手を着脱する構成とした場合、長期間使用している間に保管場所を忘れるおそれがあり、その場合、故障等が発生して調理器本体を持ち上げる場合に困るという問題がある。
【０００５】
又、把手を用いないで、例えば天板枠の左右を持って組み込む場合、調理器本体を落とし込む寸前の、天板枠とシステムキッチン等の天面板との間隙が少なくなった場合に、指等を挟む恐れがあり、作業性が悪くなるという問題がある。
【０００６】
そこで本発明は、調理器本体の組込み時に用いる持手を、比較的簡単な構成にて調理器本体に装着した状態にて保持する様に構成する事を目的とするものである。
【課題を解決するための手段】
【０００７】
本発明の請求項１の構成は、調理器本体の天面に、被調理物を載せて加熱する天板を一体的に装着すると共に、天面の後端部に少なくともグリル排気孔を開口し、かつ調理器本体をシステムキッチン等の天面板に開口した開口部内に上方から挿入するものにおいて、グリル排気孔を調理器本体の幅方向の略中心部に間隙を置いて配置すると共に、この間隙部に取手を装着する様に構成したものである。
【０００８】
本発明の請求項２の構成は、請求項１の構成において、取手を左右方向に配置する様に構成したものである。
【０００９】
本発明の請求項３の構成は、請求項１の構成において、取手を折畳み或いは上下方向に移動可能に構成すると共に、グリル排気孔を被覆するカバーにて取手を被覆する様に構成したものである。
【発明の効果】
【００１０】
本発明の請求項１に記載の構成により、調理器本体の天面後端部に、略中心部に間隙を置いてグリル排気孔を配置すると共に、この間隙部に取手を装着したことで、調理器本体をシステムキッチン等に組込み後に取手を取り外す必要がなく、取り外しによる紛失を防止する事が出来るものである。
【００１１】
本発明の請求項２に記載の構成により、取手を左右方向に配置したことで、この取手を調理鍋等の被調理物の移動を防止するガード部材として利用する事が出来るものである。
【００１２】
本発明の請求項３に記載の構成により、取手を折畳み又は上下方向に収納可能に構成すると共に、取手をカバーにて被覆する様に構成したことで、取手の取り外しによる紛失を防止しながら、取手の露出による外観の低下を防止する事が出来るものである。
【発明を実施するための最良の形態】
【００１３】
本発明の実施例を、先ず図１に基づき説明すると、１は例えばシステムキッチン等にドロップイン方式にて組み込まれて使用される電磁調理器の調理器本体で、上面に耐熱ガラス製の天板２を一体的に装着していると共に、この天板の下方内部に熱源となる左右一対の誘導加熱コイル３，４とラジエントヒータ５を内蔵している。
【００１４】
一方、上記調理器本体１内の前面右側には操作パネル６を配設していると共に、この操作パネルの左側にはグリル７用のグリル扉８を引き出し自在に配設し、かつ、上記操作パネル６には、シーソー式の電源スイッチ９、複数の操作キー１０・・、プッシュプッシュ並びに回転操作式の操作摘み１１・・等を配設している。
【００１５】
又、上記調理器本体１の上記天板２後方の天面枠１２には、図２にて示す様に吸気孔１３や排気孔１４、グリル排気孔１５を各々並設して開口し、上記吸気孔１３を調理器本体１内に配設した冷却ファン１６の吸気部に連通していると共に、排気孔１４を調理器本体１の下方に設置される図示しないオーブンの排気筒に連接し、かつグリル排気孔１５を上記グリル７の排気筒１７に連通している。
【００１６】
更に、上記天面枠１２には、吸気孔１３と排気孔１４との間隙を利用して、この間隙部分への調理等の載置を可能とする載置部１８を設けていると共に、図３にても示す様に、この載置部の背面でかつ上記吸気孔１３や排気孔１４の前端位置よりも後方寄りに取手１９を一体的に立設して固定している。
【００１７】
上記取手１９は左右方向に配置し、かつ手で握り易い様に断面が略円形状でやや太めの金属製の棒状材料にて構成していると共に、左右両下端部にネジ部２０，２０を形成し、このネジ部を天面枠１２に貫通させてナット２１，２１を螺着し、確実に固定している。
【００１８】
これらの構成により、吸気孔１３と排気孔１４との間に調理鍋等を載置するスペースを確保し、天面スペースを有効的に利用する事が出来ると共に、取手１９にて調理鍋等の移動を防止出来るものである。
【００１９】
尚、上記実施例では調理器本体１の右側に吸気孔１３を配置し、左側に排気孔１４とグリル排気孔１５を配置しているが、これらの配置に限定されることなく、かつ吸気孔１３や排気孔１４を配置しなくても良い。
【００２０】
又上記吸気孔１３、排気孔１４、グリル排気孔１５は、左右に分割して構成した着脱自在なカバー２２，２２にて被覆し、これらカバーには多数の通気孔２３・・を穿孔している。
【００２１】
而して、調理器本体１をシステムキッチン３０に組み込む場合には、図４にて示す様に調理器本体１の天面枠１２の左右略中心を持ち、調理器本体１の前面より斜めに天面板３１の開口部３２内に挿入し、調理器本体１がある程度開口部３２内に収納されて天面枠１２と天面板３１との間隔が少なくなると、手を持ち替えて取手１９を持ち、調理器本体１を手前に引きながら開口部３２内に押し込んで収納する。
【００２２】
これにより、天面枠１２と天面板３１との間に指等が挟まれることなく、比較的簡単に調理器本体１の装着を行うことができ、作業性を向上する事が出来ると共に、取手１９をそのまま調理鍋の後方への移動を防止するガードとして利用出来、取手１９の紛失を防止する事も出来るものである。
【００２３】
尚、上記実施例では取手１９を左右方向に配置しているが、これに限定されることなく、前後方向や前後左右方向、斜め方向に組合せて配置しても良く、固定位置や横幅寸法、太さ等は任意に設定しても良い。
【００２４】
図５は本発明の他の実施例を示すもので、取手１９をヒンジ金具２４，２５にて回転自在に枢支すると共に、カバー２２，２２の横幅寸法を幅広に形成し、上記取手１９を折畳んだ場合には、図６にて示す様に、カバー２２，２２にて吸気孔１３や排気孔１４、グリル排気孔１５、並びに取手１９を被覆する様に構成している。
【００２５】
これらの構成により、取手１９を使用しない場合にも紛失する恐れがなく、かつ取手１９の露出による美観の低下を防止し、取手１９を安価な材料にて構成してコストダウンを計る事も出来るものである。
【００２６】
尚、上記実施例では取手１９を折畳んで収納する構成としているが、天面枠１２に図示しない貫通孔を穿孔し、取手１９の両端部をこれら貫通孔に貫通させることで、取手１９を上下方向に収納する様に構成しても良い。又、取手１９を着脱自在に取り外し可能に構成することも考えられるが、この場合、長期間の使用による紛失が考えられる。
【００２７】
更に、上記図５及び図６にて示す実施例では、取手１９を手前に折畳む様に構成し、例えば左側のヒンジ金具２４の手前に排気孔１４を配置できる様に構成しているが、これに限定されることなく、手前側にヒンジ金具２４，２５を配置し、取手１９を後方に折畳む様に構成しても良い。
【図面の簡単な説明】
【００２８】
【図１】本発明を用いた電磁調理器の実施例を示す斜視図である。
【図２】同じく一部を破断した斜視図である。
【図３】同じく要部の側面縦断面図である。
【図４】同じくシステムキッチンへの組み込み状態を示す斜視図である。
【図５】本発明の他の実施例を示す分解斜視図である。
【図６】同じく他の実施例を示す斜視図である。
【符号の説明】
【００２９】
１    調理器本体
２    天板
１５  グリル排気孔
１９  取手
２２  カバー
３０  システムキッチン
３２  開口部
【図１】
2005257152.tif 000003
【図２】
2005257152.tif 000004
【図３】
2005257152.tif 000005
【図４】
2005257152.tif 000006
【図５】
2005257152.tif 000007
【図６】
2005257152.tif 000008